(57)【要約】【課題】時空間符号化された信号についてフレームの開始位置の検出を精度良く行うことができるフレーム同期装置を得る。【解決手段】フレームとフレームの先頭を示す既知系列とを含み、Ｎシンボル（Ｎは２以上の自然数）を１ブロックとする時空間符号で符号化された入力信号に対して、１シンボルの単位で遅延時間が異なる遅延を付与した遅延入力信号を生成する遅延部３と、入力信号と遅延入力信号について時空間符号の復号を行ってそれぞれの復号信号を出力する復号部６、７と、復号信号のいずれかから既知系列を検出する検出部８と、検出部の既知系列の検出結果に基づいて復号信号からいずれか一つを選択して、選択した復号信号から前記フレームを抽出する抽出部９と、を備える。【選択図】          図１
2015226197.tif 000002
【特許請求の範囲】
【請求項１】
フレームと前記フレームの先頭を示す既知系列とを含み、Ｎシンボル（Ｎは２以上の自然数）を１ブロックとする時空間符号で符号化された入力信号に対して、１シンボルの単位で遅延時間が異なる遅延を付与した遅延入力信号を生成する遅延部と、
前記入力信号と前記遅延入力信号について前記時空間符号の復号を行ってそれぞれの復号信号を出力する復号部と、
前記復号信号のいずれかから前記既知系列を検出する検出部と、
前記検出部の前記既知系列の検出結果に基づいて前記復号信号からいずれか一つを選択して、選択した復号信号から前記フレームを抽出する抽出部と、
を備えることを特徴とするフレーム同期装置。
【請求項２】
前記時空間符号は差動時空間符号であることを特徴とする請求項１に記載のフレーム同期装置。
【請求項３】
前記遅延部は前記入力信号に１シンボルの単位でＮ−１シンボルまで遅延時間が異なる遅延を付与したＮ−１個の遅延入力信号を生成し、
前記復号部は前記入力信号と前記Ｎ−１個の遅延入力信号の前記復号を行ってＮ個の復号信号を出力する、
ことを特徴とする請求項１または請求項２に記載のフレーム同期装置。
【請求項４】
前記復号信号の判定処理を行う判定部を備え、
前記検出部は前記判定部の判定処理結果に基づいて前記既知系列を検出する、
ことを特徴とする請求項１から請求項３のいずれか一項に記載のフレーム同期装置。
【請求項５】
前記判定部は複素平面上の原点を中心とした軸に対して前記復号信号が正と負のいずれの方向にあるかに基づいて前記復号信号の判定をすることを特徴とする請求項４に記載のフレーム同期装置。
【請求項６】
前記抽出部は前記判定部から出力される前記復号信号を判定処理した信号から前記フレームを抽出することを特徴とする請求項４に記載のフレーム同期装置。
【請求項７】
前記遅延部は、異なるアンテナで受信された複数の前記入力信号のそれぞれから前記遅延入力信号を生成し、
前記復号部は、前記複数の入力信号を受信ダイバーシチ処理し、前記複数の入力信号のそれぞれから生成された前記遅延入力信号のうち付与された遅延時間が同じ信号をそれぞれ受信ダイバーシチ処理して、それぞれの前記受信ダイバーシチ処理後の信号について前記復号を行って前記復号信号を出力する、
ことを特徴とする請求項１から請求項６のいずれか一項に記載のフレーム同期装置。
【発明の詳細な説明】
【技術分野】
【０００１】
この発明は、通信装置におけるフレーム同期技術に関する。
【背景技術】
【０００２】
従来、無線通信では通信品質を向上させるための複数の送信アンテナ、受信アンテナを用いるダイバーシチが数多く提案されている。送信ダイバーシチでは送信機が複数のアンテナを用いて信号を送信することでダイバーシチ効果を得る。送信ダイバーシチの１つに時空間符号（ＳＴＢＣ：Space Time Block Codes）を用いる方式がある。ＳＴＢＣでは、例えば２個の送信アンテナを用いる場合、変調信号の２シンボルを１ブロックとしたブロック単位で符号化された信号が送信機から送信される。そして、受信機で伝送路推定値を用いた処理で受信した各ブロックのＳＴＢＣの復号が行われ、符号化前のシンボルが取り出される。
また、ＳＴＢＣでは復号処理において必要な伝送路推定値を取得する処理の負荷が高いという問題があり、この問題に対応する送信ダイバーシチとして差動時空間符号（ＤＳＴＢＣ：Differential STBC ）を用いる方式が提案されている（非特許文献１）。ＤＳＴＢＣでは、送信機において送信するブロックとその直前に送信したブロックを用いたＤＳＴＢＣの符号化（ＤＳＴＢＣ符号化）が行われ、受信機において受信したブロックとその直前に受信したブロックを用いたＤＳＴＢＣの復号（ＤＳＴＢＣ復号）が行われて符号化前のシンボルが取り出される。
【先行技術文献】
【非特許文献】
【０００３】
【非特許文献１】V.Tarokh, H.Jafarkhani, "A Differential Detection Scheme for Transmit Diversity", IEEE Journal on Selected Areas in Communications, Vol.18, pp1169-1174, July 2000.
【発明の概要】
【発明が解決しようとする課題】
【０００４】
通信装置の受信機では、対向する送信機が送信したフレーム（送信フレーム）の開始位置を検出する処理（フレーム同期）が行われる。フレーム同期の手法として、同期ワード（Sync Word ）やプリアンブルといった受信機において既知の特定のパターン（既知系列）を検出する手法が一般的に用いられている。なお、以降ではこのようなフレーム同期に用いられる既知系列をＳＷと称することとする。
【０００５】
上述のＤＳＴＢＣでは送信するブロックとその直前に送信したブロックの差分をとって符号化が行われることから、ＳＷの変調信号の符号化後の信号点配置はその直前に送信したブロックに依存して変わることになる。このため、ＤＳＴＢＣの符号化前において検出精度の良いＳＷであっても符号化後では検出精度が悪くなる可能性があり、ＤＳＴＢＣ符号化された受信信号についてフレームの開始位置を精度よく特定することが困難であるという問題があった。
【０００６】
この発明は、上記の課題を解決するためになされたものであり、ＤＳＴＢＣなどで時空間符号化された信号についてフレームの開始位置の検出を精度良く行うことができるフレーム同期装置を得ることを目的とする。
【課題を解決するための手段】
【０００７】
この発明のフレーム同期装置は、フレームとフレームの先頭を示す既知系列とを含み、Ｎシンボル（Ｎは２以上の自然数）を１ブロックとする時空間符号で符号化された入力信号に対して、１シンボルの単位で遅延時間が異なる遅延を付与した遅延入力信号を生成する遅延部と、入力信号と遅延入力信号について時空間符号の復号を行ってそれぞれの復号信号を出力する復号部と、復号信号のいずれかから既知系列を検出する検出部と、検出部の既知系列の検出結果に基づいて復号信号からいずれか一つを選択して、選択した復号信号から前記フレームを抽出する抽出部と、を備えるようにしたものである。
【発明の効果】
【０００８】
この発明のフレーム同期装置によれば、Ｎ（Ｎは２以上の自然数）シンボルを１ブロックとする時空間符号化された入力信号と入力信号を１シンボルの単位で遅延させた遅延入力信号をそれぞれ復号して、復号後の信号のいずれかから入力信号に含まれるフレームの先頭を示す既知系列を検出するようにしたので、時空間符号のブロックの単位で復号処理した信号から既知系列を検出することが可能となり、時空間符号化された入力信号について精度よくフレーム同期をすることができる。
【図面の簡単な説明】
【０００９】
【図１】この発明の実施の形態１に関わるフレーム同期装置の機能構成の一例を示すブロック図である。
【図２】実施の形態１のフレーム同期装置の処理フローの一例を示すフローチャートである。
【図３】入力信号と復号処理部の処理タイミングの関係の一例を示す模式図である。
【図４】ＤＳＴＢＣ符号化前と符号化後の信号点配置の一例を示す模式図である。
【図５】この発明の実施の形態２に関わるフレーム同期装置の機能構成の一例を示すブロック図である。
【図６】この発明の実施の形態２のフレーム同期装置の機能構成の変形例を示すブロック図である。
【図７】この発明の実施の形態３に関わるフレーム同期装置の機能構成の一例を示すブロック図である。
【発明を実施するための形態】
【００１０】
以下、この発明を実施するための形態を図面を参照して説明する。なお、以下の説明で参照する図面においては、同一もしくは相当する部分には同一の符号を付している。
以下の説明では、２シンボルを１ブロックとした場合のＤＳＴＢＣ（Differential Space Time Block Codes ）を例に説明するが、この発明はＤＳＴＢＣの１ブロックのシンボル数を２に限定するものではなく、Ｎ（Ｎは２以上の自然数）シンボルが１ブロックであってもよい。
【００１１】
実施の形態１．
この発明の実施の形態１について説明する。図１は、この発明の実施の形態１に関わるフレーム同期装置１００の機能構成の一例を示すブロック図である。図１においてフレーム同期装置１００は遅延部３、復号部４および復号部５、相関処理部６および相関処理部７、検出部８、抽出部９を備えている。なお、図１はフレーム同期装置１００を適用した受信装置の構成も示しており、この受信装置はフレーム同期装置１００、受信アンテナ１、受信処理部２、判定部１０を備えている。
【００１２】
フレーム同期装置１００が備える上述の各ブロックはＡＳＩＣ（Application Specific Integrated Circuit ）等を用いたハードウェアで実現することが可能であるし、あるいは上述のブロックの少なくとも一部をメモリ等の周辺回路が接続されたプロセッサとプロセッサ上で実行されるプログラムで実現することが可能である。
【００１３】
受信アンテナ１は対向する送信機から送信されるＤＳＴＢＣ符号化された無線信号を受信し、受信処理部２は受信アンテナ１で受信された無線信号に対して周波数変換、帯域制限などの受信処理を実施して、伝送速度がシンボルレートの信号である入力信号を出力する。入力信号はフレーム同期装置１００の遅延部３と復号部４に入力される。遅延部３は受信処理部２から出力された入力信号に１シンボルの伝送に要する時間（１シンボル時間）の遅延を付与した遅延入力信号を出力する。なお、ここでは入力信号をシンボルレートとしているが必ずしもシンボルレートである必要はなく、入力信号の伝送速度における１シンボルの伝送に要する時間の遅延を付与した遅延入力信号が出力されるように構成されていればよい。
【００１４】
復号部４は入力信号に対して２シンボル分の信号を単位としてＤＳＴＢＣ復号を行い、復号信号（第１の復号信号）を出力する。復号信号は相関処理部６に入力され、相関処理部６は復号信号とＳＷとの相関を求めた相関値（第１の相関値）を出力する。同様に、復号部５は遅延入力信号に対してＤＳＴＢＣ復号を行って遅延復号信号（第２の復号信号）を出力し、相関処理部７は遅延復号信号とＳＷとの相関を求めた遅延系統相関値（第２の相関値）を出力する。なお以降では、入力信号を処理する系統を第１の処理系統、遅延入力信号を処理する系統を第２の処理系統と称す。
【００１５】
検出部８は相関値と遅延系統相関値と設定されたしきい値に基づいて、復号信号または遅延復号信号についてＳＷの検出を行い、ＳＷを検出した処理系統（すなわち復号信号と遅延復号信号のいずれか）とＳＷの検出位置とを示すＳＷ検出情報を出力する。抽出部９はＳＷ検出情報にしたがって、復号信号もしくは遅延復号信号から受信したフレーム（受信フレーム）を抽出して出力する。
【００１６】
抽出部９から出力された受信フレームは判定部１０に入力され、判定部１０は受信フレームに対して対向する送信機が送信した信号を判定する判定処理（第１の判定処理）を行って復調データを出力する。
【００１７】
次に、フレーム同期装置１００の動作を説明する。まず、フレーム同期装置１００に入力される信号（入力信号）について説明する。入力信号は、受信アンテナ１によって受信されたアナログの無線信号に対し、受信処理部２がアナログデジタル変換（Ａ／Ｄ変換）、周波数変換、帯域制限、シンボルタイミングの再生などの受信処理を行うことで得られるシンボルレートのデジタル信号である。なお、これらの受信処理部２が行う受信処理は既知の処理方法で行えばよい。
【００１８】
受信処理部２で得られた入力信号は、フレーム同期装置１００の遅延部３と復号部４に入力される。図２は入力信号を受信したこの実施の形態のフレーム同期装置１００の処理フローを示すフローチャートである。なお、このフローチャートは一例として示すものであり、例えばパイプライン化して各ステップが並列に実行されるようにするなどしてもよい。
【００１９】
遅延部３は受信した入力信号を１シンボル時間だけ遅延させ、遅延入力信号を出力する（ＳＴ１）。入力信号は２シンボルを１ブロックとしてＤＳＴＢＣ符号化された信号であるので、入力信号がシンボルレートであるとき、例えば図３（ａ）にブロックＡ、ブロックＢ、ブロックＣと示すように１ブロックは２シンボル時間を使用して伝送される。一方、復号部４と復号部５は図３（ｃ）に示す周期Ｘ、Ｘ＋１、Ｘ＋２のように２シンボル時間の周期でＤＳＴＢＣ復号処理を実施する。このとき、例えば図３（ａ）に示すブロックＡと図３（ｃ）に示す周期Ｘのようにタイミングが１シンボル時間ずれる可能性がある。
【００２０】
この実施の形態のフレーム同期装置１００によれば、上述のように入力信号を１シンボル時間遅延させた遅延入力信号を生成することで、入力信号と遅延入力信号のうちのいずれか一方では復号部４もしくは復号部５におけるＤＳＴＢＣ復号処理の実施タイミングとブロックの境界が一致するようになり、一致した方の処理系統ではブロックごとのＤＳＴＢＣ復号処理を行うことができる。なお、このようにＤＳＴＢＣ復号処理のタイミングとブロックの境界が一致する状態を以降ではブロック同期と称する。
【００２１】
復号部４は入力信号から２シンボル分のデータを取り出して、前回の復号処理で取り出した２シンボル分のデータと合わせて４シンボル分のデータを用いてＤＳＴＢＣ復号を行い、復号信号を得る（ＳＴ２）。また、ＳＴ２では復号部５も同様に遅延入力信号から２シンボルのデータを取り出して、前回の処理で取り出した２シンボル分のデータと合わせて４シンボル分のデータを用いてＤＳＴＢＣ復号を行い、遅延復号信号を得る。ここで、復号部４と復号部５が行うＤＳＴＢＣ復号の処理は例えば非特許文献１に記載された方法で行えばよい。
【００２２】
なお、この実施の形態は１ブロックが２シンボルである場合の例であるが、ＤＳＴＢＣの１ブロックがＮシンボルである場合、入力信号に１シンボル時間からＮ−１シンボル時間まで１シンボルの単位で遅延時間の異なる遅延を付与したＮ−１個の遅延入力信号を生成し、入力信号と合わせてＮ個の処理系統を設けるようにすればよい。
【００２３】
相関処理部６は、ＤＳＴＢＣ復号された復号信号についてＳＷとの相関を複素平面で求めて相関値を出力する（ＳＴ３）。ここで相関値とはＳＷと一致する割合であるものとする。また、ＳＴ３では相関処理部７が同様に遅延復号信号についてＳＷとの相関値（遅延系統相関値）を求めて出力する。第１の処理系統と第２の処理系統のいずれか一方はブロック同期した信号であり、ブロック同期した処理系統においてはブロックごとのＤＳＴＢＣ復号を行うことができることから、相関値と遅延系統相関値のいずれか一方で高い相関を得ることができる。
【００２４】
なお、復号信号はＢＰＳＫ（二位相偏移変調）やＱＰＳＫ（四位相偏移変調）などで変調された信号であるため、ＳＷについても変調された状態にして相関値を求める必要がある。変調された状態のＳＷについては、相関処理部６でＳＷの系列に対する変調処理を行ってもよいし、予め変調信号の状態にしたＳＷを記憶するようにしてもよいし、その他、ＳＷの系列を変調処理して相関処理部６に入力するなどの構成にすることも可能である。これは遅延復号信号についても同様である。
【００２５】
検出部８では相関処理部６と相関処理部７で求めた相関値と遅延系統相関値に基づいてＳＷの検出を行い、検出結果をＳＷ検出情報として出力する（ＳＴ４）。具体的には、相関値と遅延相関値についてその値が設定されたしきい値以上となった場合に、しきい値以上となった処理系統とその処理系統の復号信号におけるＳＷの位置情報（ＳＷ検出位置）をＳＷ検出情報として出力する。なお、同時に２つの処理系統で相関値がしきい値を超えた場合には、いずれか一方の処理系統を優先するようにしておくか、相関値の高い方を選択するか、あるいはある期間で相関値がしきい値以上となる回数が一定数以上となった処理系統を選択するようにするなどして一方の処理系統を選択するようにすれば良い。なお、ある期間で相関値がしきい値以上となる回数が一定数以上となった処理系統を選択するようにした場合、ＳＷの誤検出確率を下げる効果が期待できる。
【００２６】
抽出部９では検出部８が出力したＳＷ検出情報にしたがって、復号信号もしくは遅延復号信号の一方を選択し、選択した信号からＳＷ検出位置を基準にして受信フレームを抽出して出力する（ＳＴ５）。なお、抽出部９から出力する受信フレームにはＳＷを含めても、含めなくても良い。
また、検出部８と抽出部９はＳＷを検出して復号信号または遅延復号信号から受信フレームを抽出して出力できる機能があれば良く、検出部８が出力するＳＷ検出情報が抽出部９の処理に反映されるタイミングは任意のタイミングで良い。さらに、抽出部９が判定部１０に出力する受信フレームの開始位置も例えばＳＷ検出位置の直後からにするなど任意の位置から開始するようにしても良い。
【００２７】
そして、抽出部９が出力した受信フレームについて判定部１０が判定処理を行う。ここで判定処理とは対向する送信機が送信したデータが何であったかを判定する処理であり、硬判定でもよいし、軟判定であってもよい。判定部１０は判定処理した結果を復調データとして出力する。なお、判定部１０を抽出部９の前段に配置するように構成してもこの実施の形態と同様の効果を得ることができる。
【００２８】
以上説明したようにこの実施の形態のフレーム同期装置は、ＤＳＴＢＣ符号化された入力信号と入力信号を１シンボル時間遅延させた遅延入力信号の双方をそれぞれＤＳＴＢＣ復号し、復号後のそれぞれの信号とＳＷとの相関を求めて、求めた相関に基づいて入力信号または遅延入力信号の復号後の信号からＳＷを検出してフレーム同期を行い、フレーム同期をした信号から受信フレームを抽出するようにした。
【００２９】
これにより、入力信号もしくは遅延入力信号のいずれかについては復号処理の処理タイミングとＤＳＴＢＣのブロックの境界が一致したブロック同期状態での復号処理が可能となり、ＤＳＴＢＣで符号化された入力信号について精度よくフレーム同期をすることができる。
また、図４に例を示すようにＤＳＴＢＣ符号化後では符号化前よりも信号点間の距離が短くなるが、ＤＳＴＢＣ符号化前に戻した状態でＳＷの検出を行うので、信号点間の距離が長い状態で精度良くＳＷを検出してフレーム同期を行うことができる。
また、入力信号と遅延入力信号をそれぞれＤＳＴＢＣ復号して、復号後の信号とＳＷとの相関を求め、この相関に基づいてＳＷを検出するという簡易な処理でフレーム同期をすることができる。
【００３０】
なお、この実施の形態では入力信号を１シンボル時間遅延させた遅延入力信号を生成して復号部５が復号処理をするようにしたが、復号部５に復号部４と同じ信号を入力し、復号部４と復号部５の処理タイミングを１シンボル時間ずらすように構成を変更することも可能である。
【００３１】
なお、この実施の形態では第１の処理系統と第２の処理系統についてそれぞれ相関処理部６と相関処理部７が処理を行う構成としたが、ブロック内のシンボルの信号電力の和が一定になるＤＳＴＢＣ符号化の性質を用いて、この２つの処理系統について２シンボルずつ信号電力の和を計算し、計算結果の分散値が小さくなる処理系統をブロック同期した処理系統として選択して、選択した処理系統について相関をとってフレーム同期をした受信信号を得る構成にすることも可能である。
【００３２】
なお、上述の実施の形態ではＤＳＴＢＣで符号化された入力信号について説明したが、ＤＳＴＢＣをＳＴＢＣに置き換えても良い。
【００３３】
実施の形態２．
次に、この発明の実施の形態２について説明する。図５は、この発明の実施の形態２に関わるフレーム同期装置１００ａの機能構成の一例を示すブロック図である。実施の形態１の説明で図１に示したフレーム同期装置１００と図５のフレーム同期装置１００ａとの差異は、復号部４と相関処理部６の間と、復号部５と相関処理部７の間にそれぞれ復号された信号に仮の判定処理（第２の判定処理）を行う判定部１１、判定部１２を備える点である。なお、この実施の形態では相関処理部６と相関処理部７は実施の形態１と同様に相関を求める処理を行うが、処理の対象が判定部１１、判定部１２で処理された信号となる。
【００３４】
次に、この実施の形態のフレーム同期装置１００ａの動作を説明する。なお、受信アンテナ１によるアナログの無線信号の受信から復号部４、復号部５の処理までは実施の形態１と同様であり、また、検出部８と抽出部９以降の処理も実施の形態１と同様であるので、実施の形態１との差分に注目して説明することとする。
【００３５】
判定部１１と判定部１２は、それぞれ復号部４と復号部５が出力する復号信号に対して仮の判定を行う。仮の判定処理は硬判定と軟判定のどちらでも良い。また複素平面上に原点を通る軸を一つ作り、その軸に対する復号信号の正負の判定を行うようにしても良い。正負の判定を行う場合、例えばＢＰＳＫのように変調信号の同相成分について正負を判定し、負なら０、正なら１を出力するようにする。
【００３６】
相関処理部６と相関処理部７ではそれぞれ判定部１１と判定部１２で仮の判定処理がなされた信号に対してＳＷの系列との相関を算出する。なお、判定部１１と判定部１２で硬判定または軟判定をした場合は、ＳＷをそのままの系列で使用して相関を求めればよい。また、正負判定をした場合は実施の形態１のようにＳＷの系列を変調したのち、変調した信号について正負判定を行った結果との相関を求めるようにする。このとき、ＳＷの系列を変調した信号の正負判定結果については予め求めた判定結果をメモリに保存して用いると計算量を少なくできる。
【００３７】
正負判定は特に８ＰＳＫや１６ＱＡＭといった１シンボルあたりの値の数が多い変調が用いられている場合に、硬判定または軟判定と比較して判定の処理量を少なくすることができる。また、例えば変調信号が１６ＰＳＫの場合で、信号点がＡ×ｅｘｐ（２πｉ×（２２．５×ｎ＋１１．２５）÷３６０）で表され、Ａは変調信号の振幅、ｎは０を含む１５以下の自然数、ｉは虚数単位とするときの正負判定を同相成分で行う条件においては、ＳＷの系列を同相成分の絶対値が最も大きいｎ＝０，７，８，１５の信号点のみで構成されるように選択することでＳＷ検出の精度を向上することができる。
【００３８】
検出部８では実施の形態１と同様に求められた第１または第２の相関値が一定以上の場合にＳＷ検出したものとしてＳＷ検出情報を出力する。なお、判定部１１、判定部１２が硬判定または正負判定を用いている場合は、ＳＷの総ビット数に対して不一致となったビット数が一定以下になる場合にＳＷ検出できたものとしても良い。抽出部９と判定部１０は実施の形態１と同様の処理をして復調データを出力する。
【００３９】
以上説明したように、この実施の形態のフレーム同期装置は、ＤＳＴＢＣ符号化された入力信号と入力信号を１シンボル時間遅延させた遅延入力信号の双方をそれぞれＤＳＴＢＣ復号し、復号後の信号をそれぞれ判定したのちにＳＷとの相関を求めて、求めた相関に基づいて入力信号または遅延入力信号の復号後の信号からＳＷを検出してフレーム同期を行い、フレーム同期をした信号から受信フレームを抽出するようにした。
これにより、実施の形態１で説明した効果に加えて、相関処理部が変調された信号ではなく復調された信号について相関を求めればよいことから相関処理部の処理量を低減することが可能になるという効果を奏する。
【００４０】
この実施の形態の変形例として、図６に示すフレーム同期装置１００ｂのように判定部１１、判定部１２で判定処理を行った信号をそれぞれ相関処理部６、相関処理部７に入力するとともに、抽出部９に入力するようにしても良い。
このようにした場合には、判定部１１、判定部１２では硬判定あるいは軟判定を行う。また、抽出部９は検出部８が出力するＳＷ検出情報に従って、判定部１１と判定部１２が出力する判定処理後の復調された信号から受信フレームを抽出して復調データとして出力する。なおこの場合では図５に示した判定部１０は不要である。
【００４１】
実施の形態３．
次にこの発明の実施の形態３について説明する。図７はこの実施の形態に関わるフレーム同期装置１００ｄの機能構成の一例を示すブロック図である。図７において図１と同じ符号を付した部分は実施の形態１と同様である。この実施の形態のフレーム同期装置１００ｄは、遅延部２１と復号部２２と復号部２３を備える点が実施の形態１と異なっている。この実施の形態ではフレーム同期装置１００ｄに、実施の形態１に示した入力信号に加えて、対向する送信機がＤＳＴＢＣ符号化して無線送信した信号に対し受信アンテナ１９および受信処理部２０で受信アンテナ１および受信処理部２と同様の処理がなされた第２の入力信号が入力される。
【００４２】
遅延部２１は遅延部３と同様に入力された第２の入力信号を１シンボル時間遅延させて第２の遅延入力信号を出力する。復号部２２は、入力信号と第２の入力信号が入力され、入力された２つの信号に対して受信ダイバーシチ処理をした後で実施の形態１と同様のＤＳＴＢＣ復号を行う。また、復号部２３は、遅延入力信号と第２の遅延入力信号が入力され、復号部２２と同様に受信ダイバーシチ処理をした後にＤＳＴＢＣ復号を行う。以降の相関処理部６、相関処理部７と、検出部８と抽出部９は実施の形態１と同様である。また、判定部１０も実施の形態１と同様である。
【００４３】
次に、この実施の形態のフレーム同期装置１００ｄの動作を実施の形態１との差分を中心に説明する。受信アンテナ１の処理は実施の形態１と同様であり、受信アンテナ１９は受信アンテナ１と同様の処理をする。受信処理部２の処理は実施の形態１と同様であり入力信号をフレーム同期装置１００ｄに出力する。受信処理部２０は受信処理部２と同様の処理をして第２の入力信号をフレーム同期装置１００ｄに出力する。遅延処理部３の処理は実施の形態１と同様であり、遅延入力信号を出力する。遅延部２１の処理は遅延部３と同様であり、第２の入力信号を遅延させた第２の遅延入力信号を出力する。
【００４４】
復号部２２には入力信号と第２の入力信号が入力され、復号部２２は入力された２つの信号の受信ダイバーシチ処理をした後に、実施の形態１の復号部４と同様のＤＳＴＢＣ復号を行う。復号部２３も同様に遅延入力信号と第２の遅延入力信号が入力され、入力された２つの信号を受信ダイバーシチ処理した後に実施の形態１の復号部５と同様のＤＳＴＢＣ復号を行う。なお、受信ダイバーシチ処理では、入力された信号のいずれかを選択してもよいし、入力された信号の合成をしても良い。
【００４５】
この例では受信アンテナ１で受信された信号に基づく入力信号と、受信アンテナ１９で受信された信号に基づく第２の入力信号が入力される場合を説明したが、３個以上のアンテナで受信された信号に基づく、３個以上の入力信号が入力される場合でも同様の構成にすることが可能である。
相関処理部６、相関処理部７、検出部８、抽出部９の処理は実施の形態１と同様である。また、判定部１０の処理も実施の形態１と同様である。
【００４６】
以上説明したように、この実施の形態のフレーム同期装置は、複数の受信アンテナで受信された信号に基づく複数の入力信号が入力され、複数の入力信号のそれぞれから１シンボル時間遅延させた遅延入力信号を生成し、入力信号同士を受信ダイバーシチ処理し、遅延入力信号同士を受信ダイバーシチ処理して、それぞれの受信ダイバーシチ処理後の信号のＤＳＴＢＣ復号を行い、ＤＳＴＢＣ復号後の信号それぞれとＳＷの相関を求めて、求めた相関に基づいて復号信号または遅延復号信号からＳＷを検出してフレーム同期を行い、フレーム同期をした信号から受信フレームを抽出するようにした。
これにより、実施の形態１で示した効果に加えて、受信アンテナが２以上の場合においても簡易な処理でフレーム同期をすることが可能になる。
【００４７】
なお、実施の形態２で示した同期装置１００ｂ、同期装置１００ｃに実施の形態３と同様の構成を適用することも可能である。
【００４８】
なお、この実施の形態では復号部２２と復号部２３において受信ダイバーシチ処理を実施したが、第１の入力信号と第２の入力信号を受信ダイバーシチ処理したのちに、実施の形態１で示した入力信号とするように構成することも可能である。
【符号の説明】
【００４９】
１，１９  受信アンテナ、２，２０  受信処理部、３，２１  遅延部、４，５，２２，２３  復号部、６，７  相関処理部、８  検出部、９  抽出部、１０，１１，１２  判定部、１００、１００ａ、１００ｂ、１００ｃ、１００ｄ  フレーム同期装置。
【図１】
2015226197.tif 000003
【図２】
2015226197.tif 000004
【図３】
2015226197.tif 000005
【図４】
2015226197.tif 000006
【図５】
2015226197.tif 000007
【図６】
2015226197.tif 000008
【図７】
2015226197.tif 000009